(57)【要約】【課題】高いコストをかけずに、遊技盤と本体枠の間のコネクタ接続が容易になり、その結果、遊技盤の取り付け及びコネクタ接続作業を簡単かつ迅速に行うことができる弾球遊技機を提供する。【解決手段】本体枠側コネクタ７２１を備えた電気配線７２０を有する本体枠３に対し、遊技盤側コネクタ１８Ａを背面側に備えた遊技盤６を、遊技者側である前面側から取り付けるものであって、本体枠側コネクタを遊技盤側コネクタに繋げる構造の弾球遊技機１において、本体枠の背面側に、上下方向に電気配線を保持する配線保持部７００を備えており、配線保持部の上端７１１から本体枠側コネクタを備えた電気配線の上方部７２２を延出させている。【選択図】図４
2014230724.tif 000002
【特許請求の範囲】
【請求項１】
本体枠側コネクタを備えた電気配線を有する本体枠に対し、遊技盤側コネクタを背面側に備えた遊技盤を、遊技者側である前面側から取り付けるものであって、前記本体枠側コネクタを前記遊技盤側コネクタに繋げる構造の弾球遊技機において、
前記本体枠の背面側に、上下方向に前記電気配線を保持する配線保持部を備えており、
該配線保持部の上端から前記本体枠側コネクタを備えた前記電気配線の上方部を延出させていることを特徴とする弾球遊技機。
【発明の詳細な説明】
【技術分野】
【０００１】
本発明は、弾球遊技機に関し、特に、本体枠と遊技盤とが電気配線を介して電気的に接続されている弾球遊技機に関するものである。
【背景技術】
【０００２】
従来、パチンコ遊技機等の弾球遊技機においては、遊技機の本体枠に対して遊技盤を取り付けた上で、遊技盤に電力を供給すると共に遊技盤と本体枠との間で制御信号を送受信するために、遊技盤と本体枠の間を電気配線で接続するようになっている。このように遊技盤と本体枠との間を電気配線で接続する際には、本体枠から延びている複数の電気配線の先端に設けられたコネクタをそれぞれ、遊技盤の背面側に設けられた所定のコネクタに係合させることが必要であり、接続作業が煩雑であった。
【０００３】
これに対し、近年、遊技機の本体枠に対して遊技盤を前面側から取り付ける構造で、かつ、遊技盤の背面側の所定位置にコネクタが固定されており、このコネクタと係合するコネクタが本体枠の対向する位置に配置されており、遊技盤を本体枠に対して前面側から取り付けることで、同時に遊技盤と本体枠のコネクタ同士もワンタッチで接続されるものが提案されている（例えば、特許文献１参照。）。これによれば、遊技盤と本体枠の間のコネクタの接続が容易になり、遊技盤の取り付け及びコネクタ接続作業を簡単かつ迅速に行うことができるものである。
【先行技術文献】
【特許文献】
【０００４】
【特許文献１】特開２０１２−２１０４９９号公報
【発明の概要】
【発明が解決しようとする課題】
【０００５】
しかしながら、前記した特許文献１の弾球遊技機のような、本体枠に遊技盤を取り付けるのと同時にワンタッチで遊技盤と本体枠のコネクタ同士の接続が行えるような構造は、コネクタの接続作業の煩雑さを解消することはできるが、そのワンタッチのコネクタの構成が複雑なものであり、遊技機に配置するのに高いコストがかかる、という問題があった。
【０００６】
本発明は、このような事情に鑑みてなされたものであり、コストを抑えた上で、遊技盤と本体枠の間のコネクタ接続が容易になり、その結果、遊技盤の取り付け及びコネクタ接続作業を簡単かつ迅速に行うことができる弾球遊技機を提供することを目的とする。
【課題を解決するための手段】
【０００７】
かかる課題を解決するために、本発明の請求項１に記載の発明は、本体枠側コネクタを備えた電気配線を有する本体枠に対し、遊技盤側コネクタを背面側に備えた遊技盤を、遊技者側である前面側から取り付けるものであって、前記本体枠側コネクタを前記遊技盤側コネクタに繋げる構造の弾球遊技機において、前記本体枠の背面側に、上下方向に前記電気配線を保持する配線保持部を備えており、該配線保持部の上端から前記本体枠側コネクタを備えた前記電気配線の上方部を延出させている弾球遊技機としたことを特徴とする。
【０００８】
請求項１に係る発明によれば、本体枠に対して遊技盤を前面側から取り付ける構造の弾球遊技機で、本体枠の背面側に上下方向に電気配線を保持する配線保持部を備えており、この配線保持部で電気配線を保持して上端から本体枠側コネクタを備えた電気配線の上方部を延出させていることで、本体枠側の電気配線が遊技盤側に接続するのに分かり易い位置に配置されることとなり、遊技盤と本体枠の間のコネクタ接続が容易になり、その結果、遊技盤の取り付け及びコネクタ接続作業を簡単かつ迅速に行うことができる。また、本体枠側コネクタ及び遊技盤側コネクタは従来のものを使用でき、特別な部材は必要ないため、コストを抑えた上で、遊技盤の取り付け及びコネクタ接続作業を簡単かつ迅速に行うことができる。
【図面の簡単な説明】
【０００９】
【図１】本発明の実施の形態におけるパチンコ遊技機の正面図である。
【図２】同パチンコ遊技機の背面図である。
【図３】同パチンコ遊技機の右側面図である。
【図４】同パチンコ遊技機の窓枠を開放して遊技盤を取り外した状態の正面図である。
【図５】図４のＡ−Ａ断面図である。
【発明を実施するための形態】
【００１０】
以下、本発明の実施の形態における弾球遊技機として、パチンコ遊技機を例にして図面を参照しながら説明する。なお、以下の説明では、パチンコ遊技機を遊技者から見て、手前側をパチンコ遊技機の前側（前面側）とし、奥側をパチンコ遊技機の後側（後面側）として、前後方向を規定する。また、パチンコ遊技機を遊技者から見て、左手側をパチンコ遊技機の左側とし、右手側をパチンコ遊技機の右側として、左右方向を規定する。
【００１１】
まず、本実施の形態のパチンコ遊技機の概略構成について、図１〜図４を用いて説明する。図１〜図４に示すように、本実施の形態のパチンコ遊技機１は、主として、外枠２と、本体枠としての中枠３と、窓枠４と、により構成される枠体に、各種の遊技部品が取り付けられて形成されている。
【００１２】
外枠２は、図２及び図３に示すように、パチンコ遊技機１の外郭を成し、前後面が開口された略四角筒状に形成される枠体であり、パチンコホール等の遊技場に設けられた台島に設置されている。また、この外枠２には、中枠３が取り付けられている。
【００１３】
中枠３は、図４に示すように、前後面が開口された略四角筒状に形成される枠体であり、図１及び図４に示すように、外枠２の前側の開口部に、中枠取付用ヒンジを構成する中枠用上ヒンジ３Ａ及び中枠用下ヒンジ３Ｂを介して外枠２に対して開閉可能に取り付けられている。また、図１に示すように、この中枠３には、窓枠４と、下皿ユニット５と、遊技盤６と、が取り付けられている。
【００１４】
窓枠４は、図１に示すように、中央が開口された枠体であり、正面視で中枠３の下部を除く略全面に渡って配置されており、中枠３の前側の開口部に、窓枠取付用ヒンジを構成する窓枠用上ヒンジ４Ａ及び窓枠用下ヒンジ４Ｂを介して中枠３に対して開閉可能に取り付けられている。窓枠４の中央には、正面視で略円形状の窓枠開口部７が形成されている。この窓枠開口部７は、ガラス又はアクリル等の透明板８により被覆されている。また、窓枠開口部７の下方には、上皿ユニット１００が配設されており、ここに、払い出される賞球や貸球を受けて貯留し、当該遊技球を図示しない発射装置に導く上皿１１０が配置されている。また、この上皿ユニット１００における前側上面には、遊技演出に応じて遊技者が操作可能な操作手段としての押ボタン１２０及び十字キー１５０が配置されている。また、窓枠開口部７の左右上方には、高音用のスピーカ９がそれぞれ配設されている。
【００１５】
下皿ユニット５は、図１に示すように、中枠３の下部であって窓枠４の下方に取り付けられている。この下皿ユニット５の中央部の左側には、上皿１１０から溢れた遊技球が貯留される下皿１０が配設されている。また、下皿ユニット５の中央部の右側には、低音用のスピーカ１１が配設されている。また、下皿ユニット５の右部であって下皿１０の右方には、上皿１１０に貯留された遊技球を後述する遊技領域６Ａに発射するために遊技者が操作する操作ハンドル２００が配設されている。
【００１６】
また、図１に示すように、中枠３における操作ハンドル２００の上方には、中枠３及び窓枠４を施錠する施錠装置を操作するための鍵挿入部３Ｃが設けられている。そして、窓枠４を開く際には、この鍵挿入部３Ｃに所定のキーを挿入して所定方向（例えば左方向）に回せば、施錠装置における窓枠４のロック状態が解除されて、窓枠用上ヒンジ４Ａ及び窓枠用下ヒンジ４Ｂを回動軸にして、窓枠４のみを開くことができるようになっている。また、中枠３を開く際には、この鍵挿入部３Ｃに所定のキーを挿入して別の所定方向（例えば右方向）に回せば、施錠装置における中枠３のロック状態が解除されて、中枠用上ヒンジ３Ａ及び中枠用下ヒンジ３Ｂを回動軸にして、窓枠４と一体に中枠３を開くことができるようになっている。
【００１７】
遊技盤６は、図１に示すように、遊技球が転動する領域である遊技領域６Ａが形成される部材である。遊技盤６は、窓枠４の後方であって、正面視で中枠３の下部を除く略全面に渡って配置されている。具体的には、図２に示すように、中枠３の周囲には例えば金属製の機構フレーム３００が設けられており、この機構フレーム３００に対して遊技盤６が遊技機前面側から着脱可能に取り付けられている。なお、遊技盤６の遊技領域６Ａは、窓枠４の窓枠開口部７の後方に配置され、前方から透明板８を介して視認可能に構成されている。また、遊技領域６Ａには、液晶表示器やＣＲＴなどの表示装置や、入賞装置、多数の遊技釘等が設けられているが、ここでは図示を省略している。
【００１８】
また、図２及び図３に示すように、機構フレーム３００の裏面側には、合成樹脂製の後枠部材３１０を有しており、この後枠部材３１０を介して合成樹脂製の裏面カバー３２０が蝶番３１１により開閉可能に取り付けられている。また、図２〜図４に示すように、中枠３の後枠部材３１０の右側（背面側から見た図２では左側）には、中枠３における電気配線７２０を保護しつつ所定位置まで保持して立ち上げる配線保持部７００が配設されている。この配線保持部７００の詳細については、後述する。
【００１９】
また、図２に示すように、遊技盤６の裏面側における中央部のやや上方位置には、表示装置やスピーカ９，１１、押ボタン１２０及び十字キー１５０からなる操作手段、ＬＥＤ等の照明装置などを制御するサブ制御基板１８が配設されている。また、このサブ制御基板１８の下方には、パチンコ遊技機１の遊技動作を制御する主制御基板１９が配設されている。また、中枠３の裏面側における主制御基板１９の下方には、裏面側から見て左側（正面から見て右側）にＡＣ２４Ｖの供給電源からＤＣ５ＶやＤＣ１２Ｖ等の各種駆動電源を生成して供給する電源基板２１が配設されている。また、図４に示すように、窓枠４の裏面側には、前記した押ボタン１２０や十字キー１５０の操作を制御するボタン制御基板２２が配設されている。
【００２０】
次に、中枠３の後枠部材３１０に配設された配線保持部７００について、図２〜図５を用いて説明する。
【００２１】
この配線保持部７００は、高音用のスピーカ９、低音用のスピーカ１１、押ボタン１２０、十字キー１５０、窓枠４や中枠３に配設された図示しないＬＥＤ照明装置等の演出用部材に接続された電気配線や電源基板２１に接続された電気配線を、図示しない中継基板を介して束ねた電気配線７２０を誘導して、遊技盤６のサブ制御基板１８の背面側に設けられた遊技盤側コネクタ１８Ａに接続する際に、その電気配線７２０を保護しつつ所定位置まで保持して立ち上げ、接続作業を容易にするために設けられたものである。
【００２２】
本実施の形態の配線保持部７００は、図２〜図４に示すように、中枠３の後枠部材３１０の背面側における右側（背面側から見た図２では左側）に設けられており、図５に示すように、上面視略コ字状（図５における上方が開口となった略コ字状に形成されている）の上下方向に長尺な本体部７０１と、当該本体部７０１の開口を塞ぐ上下方向に長尺な板状部７０２を有しており、この２つの部材をネジ止め等で係合することで、所定の長さを有する上下方向に貫通する貫通孔７１０が形成されている。また、この配線保持部７００は、後枠部材３１０に複数のネジＮによって固定されている。
【００２３】
そして、この貫通孔７１０の上下方向に、前記した窓枠４や中枠３の部材に繋がり束ねられた電気配線７２０を通し、その上端７１１から電気配線７２０における所定長さ（少なくとも遊技盤側コネクタ１８Ａに接続可能な長さ）の上方部７２２を湾曲可能に立ち上がるように延出させている。また、この電気配線７２０の上方部７２２の先端には本体枠側コネクタ７２１が設けられており、この本体枠側コネクタ７２１がサブ制御基板１８に設けられた遊技盤側コネクタ１８Ａに係合されるようになっており、これにより、遊技盤６のサブ制御基板１８と、窓枠４及び中枠３に配設された高音用のスピーカ９、低音用のスピーカ１１、押ボタン１２０、十字キー１５０、ＬＥＤ照明装置、電源基板２１等とが、電気的に接続されるようなっている。
【００２４】
また、この配線保持部７００の本体部７０１における内部には、貫通孔７１０の貫通方向と直交する方向かつ遊技機後方に向かって略Ｕ字状のリブ状部材からなる前後方向規制部７１２が形成されている。この前後方向規制部７１２により、貫通孔７１０内の電気配線７２０を遊技機後方に規制して、電気配線７２０が貫通孔７１０内でバタつかないようにしている。なお、この前後方向規制部７１２は、本体部７０１内の上方と下方の２箇所に形成されている。
【００２５】
また、配線保持部７００の本体部７０１における内部には、遊技機前方から上面視略Ｌ字状で貫通孔７１０の貫通方向と平行に延びる横方向規制部７１３も形成されている。この横方向規制部７１３により、貫通孔７１０内の電気配線７２０を遊技機左方向に規制して、電気配線７２０が貫通孔７１０内でさらにバタつかないようにしている。なお、この横方向規制部７１３は、本体部７０１内の２箇所の前後方向規制部７１２の上下方向の中間位置に形成されている。
【００２６】
また、前記した前後方向規制部７１２と横方向規制部７１３とで、貫通孔７１０内の電気配線７２０を異なる方向に規制することで、当該電気配線７２０が貫通孔７１０内で直線的に配置されずに波打つように曲線状に配置される。これにより、電気配線７２０付近の磁界を一定方向に生じさせずに複雑な方向に生じさせることができ、その結果、電気配線７２０から生じる静電気を抑えることができるようになっている。
【００２７】
また、配線保持部７００の本体部７０１における貫通孔７１０の上端７１１には、貫通孔７１０の貫通方向と直交する方向かつ遊技機後方に向かって略Ｕ字状のリブ状部材からなる立上げ規制部７１４が形成されている。この立上げ規制部７１４により、貫通孔７１０の上端７１１から延びる電気配線７２０の上方部７２２が遊技機後方に規制されるようになっている。
【００２８】
また、配線保持部７００の本体部７０１における貫通孔７１０の上端７１１の立上げ規制部７１４の直下には、クリップ部材７３０が配置されている。このクリップ部材７３０は、樹脂で成形されており、クリップ本体部７３１で電気配線７２０を挟み込んで保持する構成となっている。また、このクリップ部材７３０は、配線保持部７００の本体部７０１における遊技機前方の壁部７０３に設けられた孔部７０４に、ラッチ部７３２を挿入して固定するようになっている。このように電気配線７２０を保持して遊技機前方の壁部７０３に固定されたクリップ部材７３０により、貫通孔７１０の上端７１１から延びる電気配線７２０の上方部７２２が遊技機前方に規制されるようになっている。
【００２９】
そして、このクリップ部材７３０で電気配線７２０の上方部７２２を遊技機前方に規制し、前記した立上げ規制部７１４で電気配線７２０の上方部７２２を遊技機後方に規制することで、双方の作用によって電気配線７２０の上方部７２２が上方に立ち上がり易くなるようになっている。
【００３０】
以上のように、本実施の形態のパチンコ遊技機（弾球遊技機）１は、本体枠側コネクタ７２１を備えた電気配線７２０を有する中枠（本体枠）３に対し、遊技盤側コネクタ１８Ａを背面側に備えた遊技盤６を、遊技者側である前面側から取り付けるものであって、前記本体枠側コネクタ７２１を前記遊技盤側コネクタ１８Ａに繋げる構造のパチンコ遊技機（弾球遊技機）１において、前記中枠（本体枠）３の背面側に、上下方向に前記電気配線７２０を保持する配線保持部７００を備えており、該配線保持部７００の上端７１１から前記本体枠側コネクタ７２１を備えた前記電気配線７２０の上方部７２２を延出させているパチンコ遊技機（弾球遊技機）１としたことを特徴とする。
【００３１】
そして、本実施の形態によれば、中枠（本体枠）３に対して遊技盤６を前面側から取り付ける構造のパチンコ遊技機（弾球遊技機）１で、中枠（本体枠）３の背面側に上下方向に電気配線７２０を保持する配線保持部７００を備えており、この配線保持部７００で電気配線７２０を保持して上端から本体枠側コネクタ７２０を備えた電気配線の上方部７２２を延出させていることで、中枠（本体枠）３側の電気配線７２０が遊技盤６側に接続するのに分かり易い位置に配置されることとなり、遊技盤６と中枠（本体枠）３の間のコネクタ接続が容易になり、その結果、遊技盤６の取り付け及びコネクタ接続作業を簡単かつ迅速に行うことができる。また、本体枠側コネクタ７２１及び遊技願側コネクタ１８Ａは従来のものを使用でき、特別な部材は必要ないため、高いコストをかけずに、遊技盤６の取り付け及びコネクタ接続作業を簡単かつ迅速に行うことができる。
【００３２】
また、本実施の形態では、配線保持部７００の貫通孔７１０で、中枠（本体枠）３側の電気配線７２０を途中まで覆っているため、電気配線７２０の保護という利点も生じるものである。
【００３３】
なお、以上説明した実施の形態は、本発明の理解を容易にするために記載されたものであって、本発明を限定するために記載されたものではない。
【００３４】
例えば、前記した実施の形態では、パチンコ遊技機を用いて説明したが、これに限るものではなく、本発明は、雀球遊技機やアレンジボール等の他の弾球遊技機にも適用可能である。
【００３５】
また、前記した実施の形態では、配線保持部で上下方向に保持される電気配線は、窓枠や中枠に配設されている、ＬＥＤ照明装置、スピーカ、押ボタン、十字キー等から、遊技盤のサブ制御基板に繋がる電気配線であったが、これに限るものではなく、配線保持部の配設位置や保持する上下方向の高さ等によっては、遊技盤のメイン制御基板やその他の遊技盤のコネクタに繋げる電気配線を上下方向に保持する部材として適用しても良い。また、配設場所が確保できれば、複数の配線保持部を配設しても良い。
【００３６】
また、前記した実施の形態では、配線保持部が貫通孔を有する略筒状に形成されていたが、これに限るものではなく、電気配線を上下方向に保持するものであれば、略筒状以外に形成されていても良い。例えば、上下方向に延びる１又は複数の壁部に電気配線を沿わせるように配線保持部が形成されていても良いし、電気配線を上下方向にガイドして保持する複数のバンドで配線保持部が形成されていても良い。なお、このように、配線保持部が、略筒状のように四方を囲まれたものでなく、電気配線が露出する構成の場合には、電気配線を保護する効果が小さくなる又は生じない場合がある。
【００３７】
また、前記した実施の形態では、配線保持部の上端から延出する電気配線の上方部が所定の硬さを持って立ち上がるようになっていたが、これに限るものではなく、電気配線が柔らかく形成されていて、配線保持部の上端から電気配線の上方部が垂れ下がるようになっていても良い。また、配線保持部の上端から電気配線の上方部が立ち上がらなくても良い構成のときには、前記した実施の形態におけるクリップ部材等の電気配線を立ち上げるための部材がなくても良い場合がある。また、配線保持部の上端から電気配線の上方部が立ち上がらなくても良い構成のときでも、前記した実施の形態におけるクリップ部材等を電気配線を保持するための部材として利用する場合もある。
【符号の説明】
【００３８】
１…パチンコ遊技機（弾球遊技機）、３…中枠（本体枠）、６…遊技盤、１８Ａ…遊技盤側コネクタ、７００…配線保持部、７１０…貫通孔、７１１…貫通孔の上端（配線保持部の上端）、７２０…電気配線、７２１…本体枠側コネクタ、７２２…電気配線の上方部
【図１】
2014230724.tif 000003
【図２】
2014230724.tif 000004
【図３】
2014230724.tif 000005
【図４】
2014230724.tif 000006
【図５】
2014230724.tif 000007